【手続補正書】
【提出日】平成24年10月17日(2012.10.17)
【手続補正１】
【補正対象書類名】明細書
【補正対象項目名】０００９
【補正方法】変更
【補正の内容】
【０００９】
上記課題を解決するため、本発明に係るプロジェクターは、画像を投射する映像投射部と、罫線に関する罫線データを記憶する罫線記憶部と、罫線を前記映像投射部に投射させるために、罫線に関する罫線データを罫線記憶部から読み出す罫線読出手段と、投射された罫線の構成を変更するための編集を行う罫線編集手段と、罫線編集手段によって変更された罫線に対応する編集後の罫線データを罫線記憶部に記憶させる保存処理手段とを備える。なお、罫線データは、罫線の画像そのものではなく、罫線の間隔、太さ、色、配置等の属性情報又は要素的情報を含んで構成されるものとし、再利用や編集が容易であるものとする。つまり、罫線の構成を変更することは、罫線の間隔等の属性情報を変更することを意味する。
【手続補正２】
【補正対象書類名】明細書
【補正対象項目名】００１７
【補正方法】変更
【補正の内容】
【００１７】
本発明に係るプロジェクターによる画像投射方法は、画像を投射する映像投射部を備えるプロジェクターによる画像投射方法であって、罫線を映像投射部に投射させるために、罫線に関する罫線データを記憶する罫線記憶部から罫線データを読み出す読み出し工程と、投射された罫線の構成を変更するための編集を行う編集工程と、編集工程で変更された罫線に対応する編集後の罫線データを罫線記憶部に記憶させる保存工程とを備える。
【手続補正３】
【補正対象書類名】明細書
【補正対象項目名】００２９
【補正方法】変更
【補正の内容】
【００２９】
通信部１８は、通信を可能にするインターフェイス回路である。なお、通信部１８は、例えば無線ＬＡＮのアドホックモードによる通信を可能にする無線型のインターフェイス回路とすることができ、この場合、コンピューターその他のネットワーク接続型装置との間でピアツーピア接続を行うことができる。さらに、通信部１８は、有線ＬＡＮ等に接続する有線型のインターフェイス回路とすることもできる。
【手続補正４】
【補正対象書類名】明細書
【補正対象項目名】００３７
【補正方法】変更
【補正の内容】
【００３７】
以下、罫線編集の動作（編集工程）について詳細に説明する。ユーザーが罫線編集ボタン６２ａを選択した場合（ステップＳ１４：Ｙ（１）、Ｓ１５）、制御部１１は、罫線編集の範囲を指定するための範囲選択メニューの表示データを記憶部１２に指定して、画像処理部１５に転送させる。画像処理部１５は、映像投射部１７に上記表示データに対応するメニュー画像を投射させる（ステップＳ２０）。図７（Ｂ）に示すように、範囲選択メニュー６３には、投射されている罫線の全範囲を編集する全範囲指定ボタン６３ａ及び罫線の一部の範囲を編集する一部範囲指定ボタン６３ｂが表示される。ユーザーが一部範囲指定ボタン６３ｂを選択した場合（ステップＳ２０：Ｎ）、制御部１１は、後述する範囲指定及び変更の処理を行う（ステップＳ２８）。ユーザーが全範囲指定ボタン６３ａを選択した場合（ステップＳ２０：Ｙ）、制御部１１は、罫線編集の項目を指定するための変更項目メニュー用の表示データを記憶部１２に指定して、画像処理部１５等を介して映像投射部１７に上記表示データに対応するメニュー画像を投射させる（ステップＳ２１）。図７（Ｃ）に示すように、変更項目メニュー６４には、例えば色の変更ボタン６４ａ、線の種類の変更ボタン６４ｂ、及び線の間隔の変更ボタン６４ｃが表示される。ユーザーは、キー入力処理部１３のキー操作部２８を利用して投射された変更項目メニュー６４からいずれかの変更項目を選択する（ステップＳ２２）。ユーザーが特定の変更項目を決定した場合（ステップＳ２３：Ｙ）、制御部１１は、変更処理部１１ｂとして、キー操作部２８の入力情報を受け付け、変更項目の指示情報に変換する。制御部１１は、変更処理部１１ｂとして受け付けた指示情報をもとに、記憶部１２の罫線記憶部１２ａに保管された現在表示中の罫線データを再度呼び出すとともに、罫線の属性情報又は要素的情報（具体的には色、線の種類、配置等に関するデータ部分）に対して変換処理を行う。つまり、制御部１１は、キー操作部２８に入力された操作すなわち入力情報に基づいて罫線の構成を変更するための編集を行う。その後、制御部１１は、変換処理された罫線データを画像処理部１５に送信してパターンデータを作成させる。画像処理部１５は、映像投射部１７にパターンデータに対応する罫線画像を投射させる（ステップＳ２４）。つまり、キー入力処理部１３を介して得られたユーザーからのキー入力に基づいて、選択・決定された変更項目に関して罫線の属性に修正を加える調整処理を行い、ユーザーからのキー入力による指示前の罫線画像の対応要素を変更して指示に対応する罫線画像を得る。例えば、ユーザーがキー入力処理部１３のキー操作部２８を利用して色の変更ボタン６４ａを選択した場合、制御部１１は、複数の色を区画に分けたパレット状の色選択用画面の表示データを記憶部１２に指定して画像処理部１５に転送させ、画像処理部１５を介して映像投射部１７に色選択用画像を投射させる。制御部１１は、変更処理部１１ｂとして、キー操作部２８上に配置された三角ボタン２９ａ，２９ｂ，２９ｃ，２９ｄがそれぞれ色選択用画面の色区画の上下左右の移動を指示するものと判断する。ユーザーがキー操作部２８の三角ボタン２９ａ，２９ｂ，２９ｃ，２９ｄのいずれか１つを操作するごとに色が選択され、制御部１１は、対象となる罫線データを色に関して変更し、投射されている罫線の色を選択された色に変更する。また、ユーザーがキー入力処理部１３のキー操作部２８を利用して線の種類の変更ボタン６４ｂを選択した場合、制御部１１は、変更処理部１１ｂとして、キー操作部２８に設けられた三角ボタン２９ａ，２９ｂ，２９ｃ，２９ｄの操作が線の種類の変更を指示するものと判断する。ユーザーがキー操作部２８の三角ボタン２９ａ，２９ｂ，２９ｃ，２９ｄを押すごとに、制御部１１は、対象となる罫線データを線の種類に関して変更し、投射されている罫線の太さやパターンを変更する。また、ユーザーがキー入力処理部１３のキー操作部２８を利用して線の間隔の変更ボタン６４ｃを選択した場合、制御部１１は、変更処理部１１ｂとして、キー操作部２８のうち三角ボタン２９ａの操作は罫線の行間隔の拡大を指示し、三角ボタン２９ｂの操作は罫線の行間隔の縮小を指示するものと判断する。また、三角ボタン２９ｃの操作は罫線の列間隔の拡大を指示し、三角ボタン２９ｄの操作は罫線間隔の列の縮小を指示するものと判断する。このように、ユーザーがキー操作部２８のボタン２９ａ，２９ｂ，２９ｃ，２９ｄを操作するごとに、制御部１１は、対象となる罫線データを罫線の間隔に関して徐々に変更し、投射されている罫線を構成する線の間隔を漸次変更する。
【手続補正５】
【補正対象書類名】明細書
【補正対象項目名】００３９
【補正方法】変更
【補正の内容】
【００３９】
図８（Ａ）〜（Ｊ）は、線の種類と間隔とを並行して変更する方法を具体的に説明する図である。図８（Ａ）に示すように三角ボタン２９ａを押すと、図８（Ｆ）に示すように投射されている元の罫線ＲＬの行間隔を拡大して新たな罫線ＲＬ′とすることができる。図８（Ｂ）に示すように三角ボタン２９ｂを押すと、図８（Ｇ）に示すように投射されている元の罫線ＲＬの行間隔を縮小して新たな罫線ＲＬ′とすることができる。
図８（Ｃ）に示すように三角ボタン２９ｃを押すと、図８（Ｈ）に示すように投射されている元の罫線ＲＬの列間隔を拡大して新たな罫線ＲＬ′とすることができる。図８（Ｄ）に示すように三角ボタン２９ｄを押すと、図８（Ｉ）に示すように投射されている元の罫線ＲＬの列間隔を縮小して新たな罫線ＲＬ′とすることができる。さらに、図８（Ｅ）に示すように確定ボタン２９ｅを短く押すと、図８（Ｊ）に示すように投射されている元の罫線ＲＬの太さを徐々に増加させた新たな罫線ＲＬ′とすることができる。なお、図示を省略したが、図３のズームボタン２９ｆを押すと、図８（Ｆ）の拡大と図８（Ｈ）の拡大とが同時に行われて、行間隔及び列間隔を一括して拡大できる。また、図３のズームボタン２９ｇを押すと、図８（Ｇ）の縮小と図８（Ｉ）の縮小とが同時に行われて、行間隔及び列間隔を一括して縮小できる。
【手続補正６】
【補正対象書類名】明細書
【補正対象項目名】００４３
【補正方法】変更
【補正の内容】
【００４３】
指定された範囲が面領域の場合（ステップＳ４３：Ｙ）、制御部１１は、罫線編集の項目を指定するための変更項目メニューに対応する表示データを記憶部１２に指定して、画像処理部１５等を介して映像投射部１７に上記表示データに対応するメニュー画像を投射させる（ステップＳ４４）。変更項目メニュー６４には、ステップＳ２１の場合と同様に、色の変更ボタン６４ａ、線の種類の変更ボタン６４ｂ、及び線の間隔の変更ボタン６４ｃが表示される（図７（Ｃ）参照）。ユーザーは、キー入力処理部１３のキー操作部２８を利用して投射された変更項目メニューからいずれかの変更項目を選択する（ステップＳ４５）。ユーザーが特定の変更項目を決定した場合（ステップＳ４６：Ｙ）、制御部１１は、キー操作部２８の入力情報を受け付け、変更項目の指示情報に変換する。制御部１１は、受け付けた指示情報をもとに、記憶部１２の罫線記憶部１２ａに保管された現在表示中の罫線データを呼び出すとともに、指定された面領域において罫線の属性（具体的には色、線の種類、配置等に関するデータ部分）に対して変換処理を行う。その後、制御部１１は、局所的に変換処理された罫線データを画像処理部１５に送信してパターンデータを作成させる。画像処理部１５は、映像投射部１７にパターンデータに対応する罫線画像を投射させる（ステップＳ４７）。例えば、ユーザーがキー入力処理部１３のキー操作部２８を利用して色の変更ボタン６４ａを選択した場合、制御部１１は、ステップＳ２４の場合と同様に、ユーザーのキー操作に応じて罫線データのうち指定された局所領域に対応する部分を色に関して変更し、投射されている罫線の色を選択された色に変更する。また、ユーザーがキー入力処理部１３を利用して線の種類の変更ボタン６４ｂを選択した場合、制御部１１は、ステップＳ２４の場合と同様に、ユーザーのキー操作に応じて罫線データのうち指定された局所領域に対応する部分を線の種類に関して変更し、投射されている罫線の太さやパターンを変更する。また、ユーザーがキー入力処理部１３を利用して線の間隔の変更ボタン６４ｃを選択した場合、制御部１１は、ステップＳ２４の場合と同様に、ユーザーのキー操作に応じて罫線データのうち指定された局所領域に対応する部分を線の間隔に関して変更し、投射されている罫線の線の間隔を変更する。
【手続補正７】
【補正対象書類名】明細書
【補正対象項目名】００５６
【補正方法】変更
【補正の内容】
【００５６】
上記実施形態では、始点と終点の位置から指定された面領域ＰＡや線区間ＰＳをブリンク表示としているが、残りの部分と異なるように指定された領域や区間の輝度を増加させたり影を設けたり、或いは残りの部分の輝度を低下させるなど、様々な識別表示が可能である。
【手続補正８】
【補正対象書類名】特許請求の範囲
【補正対象項目名】全文
【補正方法】変更
【補正の内容】
【特許請求の範囲】
【請求項１】
画像を投射する映像投射部と、
罫線に関する罫線データを記憶する罫線記憶部と、
前記罫線を前記映像投射部に投射させるために、前記罫線に関する前記罫線データを前記罫線記憶部から読み出す罫線読出手段と、
投射された前記罫線の構成を変更するための編集を行う罫線編集手段と、
前記罫線編集手段によって変更された前記罫線に対応する編集後の前記罫線データを前記罫線記憶部に記憶させる保存処理手段と、
を備えるプロジェクター。
【請求項２】
前記罫線編集手段は、編集のための操作を受け付ける入力部と、前記入力部に対する前記操作に基づいて前記罫線の構成を変更する変更処理部とを有する、請求項１に記載のプロジェクター。
【請求項３】
前記罫線編集手段は、前記入力部に入力された前記操作に基づいて、前記罫線の間隔を変更する、請求項２に記載のプロジェクター。
【請求項４】
前記罫線読出手段は、前記罫線記憶部に複数の前記罫線データが記憶されている場合に、投射及び編集のため、前記複数の罫線データのうち任意の１つの選択を可能にする、請求項１から請求項３まのでのいずれか一項に記載のプロジェクター。
【請求項５】
前記罫線記憶部は、前記複数の罫線データのうち使用履歴が最近であるもの及び使用頻度が最も高いもののいずれか一方を優先する付随情報と、複数の前記罫線データを選択するための罫線リストとを有し、
前記罫線読出手段は、前記付随情報に基づいて前記罫線リストの配列を構成する、請求項４に記載のプロジェクター。
【請求項６】
前記罫線編集手段は、前記罫線記憶部から読み出した前記罫線データに対応する前記罫線の一部を指定して編集する、請求項１から請求項５まのでのいずれか一項に記載のプロジェクター。
【請求項７】
前記罫線編集手段は、前記指定された罫線の一部分の表示を残りの部分の表示と異なるものとする、請求項６に記載のプロジェクター。
【請求項８】
画像を投射する映像投射部を備えるプロジェクターによる画像投射方法であって、
罫線を前記映像投射部に投射させるために、前記罫線に関する罫線データを記憶する罫線記憶部から前記罫線データを読み出す読み出し工程と、
投射された前記罫線の構成を変更するための編集を行う編集工程と、
前記編集工程で変更された前記罫線に対応する編集後の前記罫線データを前記罫線記憶部に記憶させる保存工程と、
を備えるプロジェクターによる画像投射方法。